(57)【要約】      （修正有）【課題】壁面の損傷や汚れが問題にならず、壁面が磁性体により形成されているか否かを問わずに、壁面に取り付けることができるティッシュボックスホルダーを提供する。【解決手段】ティッシュボックス３０１を保持し壁面１０１に取り付けられることでティッシュボックスを壁面に対して支持する。両主表面を有するシート状の筒形成部材となる第１〜第５カバー部５１，５２，５３，５４，５５により形成され、両主表面のうちの一主表面を壁面に面するよう配設した状態において、固定具を他主表面から一主表面に向けて打ち込むことで固定具を貫通させる貫通孔を形成しうる貫通孔形成部を有する取付部となる第２カバー部５２と、取付部に取り付けられ、ティッシュボックス外面に当接してティッシュボックスを保持する保持部となる第１，第３〜第５カバー部５１，５３〜５５と、を備えてなる。【選択図】図６
0003189020.tif 000002
【実用新案登録請求の範囲】
【請求項１】
ティッシュボックスを保持し壁面に取り付けられることでティッシュボックスを壁面に対して支持するティッシュボックスホルダーであって、
両主表面を有するシート状の部材により形成され、該両主表面のうちの一主表面を壁面に面するよう配設した状態において、固定具を他主表面から一主表面に向けて打ち込むことで固定具を貫通させる貫通孔を形成しうる貫通孔形成部を有する取付部と、
取付部に取り付けられ、ティッシュボックス外面に当接してティッシュボックスを保持する保持部と、
を備えてなる、ティッシュボックスホルダー。
【請求項２】
ティッシュボックスが内部に保持される筒を形成する筒形成部材を備えてなり、
筒形成部材が形成した筒の一部が取付部を形成すると共に、筒の残部が保持部を形成するものである、請求項１に記載のティッシュボックスホルダー。
【請求項３】
筒形成部材が分断された一縁及び他縁を有する帯状部材を含んでなり、
該帯状部材の一縁側と他縁側とを互いに取り付けて筒を形成するための取付手段を備えるものである、請求項２に記載のティッシュボックスホルダー。
【請求項４】
帯状部材のうち取付部を形成する部分と保持部を形成する部分との境目が分断されていないものである、請求項３に記載のティッシュボックスホルダー。
【請求項５】
ティッシュボックスが、その内部に収容したティッシュを外部に取り出す取出口を有する略直方体形状を略なすものであり、
ティッシュボックスを保持した保持部が、ティッシュボックスに形成された取出口に対応する位置にティッシュを通過させる通過口又は他の部分よりも破りやすくそれを破ることで通過口を形成する通過口形成部を有するものである、請求項２乃至４のいずれか１に記載のティッシュボックスホルダー。
【請求項６】
筒形成部材に、ティッシュボックスが筒の内部に保持された状態においてティッシュボックスが形成する該略直方体の辺に沿って折れ曲がりやすい折り曲げ部分が形成されているものである、請求項５に記載のティッシュボックスホルダー。
【請求項７】
筒の内面が、ティッシュボックスが形成する該略直方体の外面に沿うものである、請求項５又は６に記載のティッシュボックスホルダー。
【請求項８】
筒のうち取付部は柔軟な樹脂材料により形成された貫通孔形成部を有し、筒のうち保持部は硬質な骨材とそれを覆う柔軟な樹脂材料により形成された部分を含むものである、請求項２乃至７のいずれか１に記載のティッシュボックスホルダー。
【請求項９】
固定具がステープラーの針である、請求項１乃至８のいずれか１に記載のティッシュボックスホルダー。
【考案の詳細な説明】
【技術分野】
【０００１】
本考案は、ティッシュボックスホルダーに関し、より詳細には、複数枚のティッシュ（ティッシュペーパー）を一枚ずつ取り出し使用できるように収容したティッシュボックスを壁面に対し支持できるティッシュボックスホルダーに関する。
【背景技術】
【０００２】
壁面にティッシュボックスを取り付けることができるティッシュボックスホルダーはこれまで種々のものが提案されてきた（例えば、特許文献１参照）。
特許文献１には、「ティッシュボックスを壁面やテーブル天板の裏面等の邪魔にならないところに簡単に取付けできるティッシュボックスホルダーを提供する」（特許文献１、考案の詳細な説明中、段落番号０００３）ためになされたもので、具体的には「ティッシュボックスの下面に接面する下面部と、この下面部の両側からほぼ垂直に立ち上がってティッシュボックスの両側面に接面または対向する１対の側面部とを有して、ティッシュボックスに外嵌可能な金属製チャネル型のホルダー本体と、このホルダー本体を壁面やデスクなどの取付面に取付ける取付部材とを備え、前記側面部の少なくとも一方に前記ティッシュボックスへのホルダー本体の外嵌状態でティッシュボックスの一方の側面に弾性的に干渉して付勢する弾性押圧片が形成されていることを特徴とするものである。この構成によれば、取付部材によりホルダー本体の外面の一部を壁面やデスクなどの取付面に取付けることができる。このように取付けられたホルダー本体にティッシュボックスを嵌め込むことにより、ティッシュボックスの両側面をホルダー本体の１対の側面部で挟むとともに、側面部の少なくとも一方に形成されている弾性押圧片がティッシュボックスの一方の側面に弾性的に干渉して付勢することにより、ティッシュボックスの移動や脱落を阻止できる保持状態で、ティッシュボックスを壁面やデスク天板の裏面や側面などに簡単に取付けることができる。」（特許文献１、考案の詳細な説明中、段落番号０００４前段部分）ものが開示されている。
【先行技術文献】
【特許文献】
【０００３】
【特許文献１】登録実用新案第３０４０７５５号公報（例えば、要約、段落番号０００１〜０００６、第１図〜第３図等）
【考案の概要】
【考案が解決しようとする課題】
【０００４】
このような特許文献１に開示されたティッシュボックスホルダーにおいては、「前記ティッシュボックスホルダー１を使用してティッシュボックス２０を壁面等の取付面１０に取り付ける手順の一例を示す。この例では、先ず取付部材３の離型紙６を剥がし（図３（Ａ））、露出した粘着剤層５により取付部材３を取付面１０に接着させる（図３（Ｂ））。つぎにティッシュボックス２０を、そのティッシュペーパー取出口２０ａがホルダー本体２の開口側に向く姿勢でホルダー本体２に差し込んで、ティッシュボックス２０をホルダー本体２に保持させ（図３（Ｃ））、この保持状態のホルダー本体２の下面部２ａを取付面１０の取付部材３に吸着させる（図３（Ｄ））。」（特許文献１、考案の詳細な説明中、段落番号０００６）、「ティッシュボックス２０の取付箇所がスチール等の磁性体からなる場合には、図５に示すように、取付部材３の離型紙６を剥がし、露出した粘着剤層５を介してホルダー本体２に取付部材３を接着し、その取付部材３の磁石板４の磁力によりホルダー本体２を取付面１０に吸着させてもよい。」（特許文献１、考案の詳細な説明中、段落番号０００９）そして「両面テープまたは複数本のビスによって取付部材３を構成してもよい」（特許文献１、考案の詳細な説明中、段落番号００１４）といったように、取付面１０へのティッシュボックスホルダーの取付は、粘着剤層５による接着、取付箇所がスチール等の磁性体からなる場合には磁力による吸着、両面テープによる接着、複数本のビスをねじ込むことによって行われる。
しかしながら、粘着剤層５による接着、両面テープによる接着、ビスのねじ込みは、取付面１０（壁面）の損傷（例えば、ビスをねじ込むことによる大きな穴あき）や汚れ（例えば、粘着物の付着や変色等）が問題となることがあるし、磁力による吸着は取付面１０（壁面）が磁性体からなるものでなければ適用できない問題があった。
そこで、本考案では、壁面（特許文献１においては取付面１０）の損傷や汚れが問題にならず、壁面（特許文献１においては取付面１０）が磁性体により形成されているか否かを問わずに、壁面（特許文献１においては取付面１０）に取り付けることができるティッシュボックスホルダーを提供することを目的とする。
【課題を解決するための手段】
【０００５】
本考案のティッシュボックスホルダー（以下、「本ホルダー」という。）は、ティッシュボックスを保持し壁面に取り付けられることでティッシュボックスを壁面に対して支持するティッシュボックスホルダーであって、両主表面を有するシート状の部材により形成され、該両主表面のうちの一主表面を壁面に面するよう配設した状態において、固定具を他主表面から一主表面に向けて打ち込むことで固定具を貫通させる貫通孔を形成しうる貫通孔形成部を有する取付部と、取付部に取り付けられ、ティッシュボックス外面に当接してティッシュボックスを保持する保持部と、を備えてなる、ティッシュボックスホルダーである。
本ホルダーは、壁面に取り付けられた状態において、内部にティッシュ（ティッシュペーパー）を収容したティッシュボックスを保持することで、ティッシュボックスを壁面に対して支持するティッシュボックスホルダー（ティッシュボックス支持具）である。
本ホルダーは、大まかには、壁面に取り付けられる取付部と、取付部に取り付けられる保持部と、を備えてなる。
取付部は、両主表面を有するシート状（例えば、厚み０．２ｍｍ〜０．４ｍｍ程度）の部材により形成される。そして、取付部は、該両主表面（一主表面及び他主表面）のうちの一主表面を壁面に面するよう配設した状態において、固定具を他主表面から一主表面に向けて打ち込むことで固定具を貫通させる貫通孔を形成しうる貫通孔形成部を有する。この貫通孔形成部に固定具を打ち込み形成される貫通孔を固定具が貫通し固定具の先端側が壁面から壁内部に打ち込まれることで、固定具により壁面に対して取付部が固定される。
保持部は、取付部に取り付けられる（取付部と保持部とが一体に形成されているような場合を含む）と共に、ティッシュボックス外面に当接してティッシュボックスを保持する。
これによりティッシュボックスを保持した保持部が取付部に取り付けられているので、上述のように固定具により壁面に取付部が固定されることで、本ホルダーはティッシュボックスを保持し壁面に取り付けられることでティッシュボックスを壁面に対して支持するものである。このように本ホルダーは、固定具が壁面を問題になるほど損傷させないもの（例えば、壁面から壁内部に打ち込まれる固定具の先端側が細いもの等）を用いることで、壁面の損傷や汚れが問題にならず、壁面が磁性体により形成されているか否かを問わずに、壁面に取り付けることができるものである。
【０００６】
本ホルダーにおいては、ティッシュボックスが内部に保持される筒を形成する筒形成部材を備えてなり、筒形成部材が形成した筒の一部が取付部を形成すると共に、筒の残部が保持部を形成するもの（以下、「筒本ホルダー」という。）であってもよい。
こうすることで筒形成部材により形成される筒（筒形成部材自体が既に筒を形成している場合の筒と、後述の帯状部材のように筒形成部材自体では筒を形成していないが筒形成部材を用いて筒を後で形成する場合の筒と、の両方を含む。）の内部にティッシュボックスが収容され、筒の一部が取付部を形成すると共に筒の残部が保持部を形成するものであるので、ティッシュボックスを筒の内部に収容することで本ホルダーはティッシュボックスを確実に保持しティッシュボックスを壁面に対して支持するものである。
【０００７】
筒本ホルダーの場合、筒形成部材が分断された一縁及び他縁を有する帯状部材を含んでなり、該帯状部材の一縁側と他縁側とを互いに取り付けて筒を形成するための取付手段を備えるもの（以下、「帯状部材本ホルダー」という。）であってもよい。
こうすることで互いに分断された一縁及び他縁を有する帯状部材を筒形成部材が含んでなり、帯状部材の一縁側と他縁側とを取付手段によって互いに取り付けて筒を形成することができるので、本ホルダーを使用しないときは筒を形成していない帯状部材（通常、平たい形状）としておくことで、筒を形成したときよりも嵩張らず搬送や収納を便ならしめることができる。取付手段としては帯状部材の一縁側と他縁側とを互いに取り付けて筒を形成することができるものであれば広く用いることができ制限されるものではないが、例えば、粘着により取り付けるもの、ボタンやフックのように係合により取り付けるもの、磁石の吸着力により取り付けるもの、面ファスナーにより取り付けるもの等を挙げることができる。
【０００８】
帯状部材本ホルダーの場合、帯状部材のうち取付部を形成する部分と保持部を形成する部分との境目が分断されていないものであってもよい。
取付部は壁面に対して固定され、ティッシュボックスを保持した保持部が取付部に取り付けられることによって、本ホルダーはティッシュボックスを壁面に対して支持するものであるため、ティッシュボックスと保持部との荷重やティッシュボックスからティッシュを取り出す際に加わる力等によって取付部と保持部との境目には大きな力が加わることが多い。帯状部材のうちこの大きな力が加わりやすい取付部を形成する部分と保持部を形成する部分との境目（取付部と保持部との境目を形成する）が分断（取付部を形成する部分と保持部を形成する部分とのいずれか一方が前記一縁を有し、いずれか他方が前記他縁を有する。）されていない方が本ホルダーを堅牢なものとすることができる。
【０００９】
筒本ホルダーの場合、ティッシュボックスが、その内部に収容したティッシュを外部に取り出す取出口を有する略直方体形状を略なすものであり、ティッシュボックスを保持した保持部が、ティッシュボックスに形成された取出口に対応する位置にティッシュを通過させる通過口又は他の部分よりも破りやすくそれを破ることで通過口を形成する通過口形成部を有するもの（以下、「通過口本ホルダー」という。）であってもよい。
ティッシュボックス（中空の箱体）は、その内部にティッシュ（ティッシュペーパー）を収容しており、そのティッシュをティッシュボックスの内部から外部に円滑に取り出して使用することができるよう、ティッシュボックスはその内部に収容したティッシュを外部に取り出す取出口が形成された略直方体形状を略なすものとされることが多い。かかる取出口を有するティッシュボックスを筒の内部に収容し保持した場合も取出口を経由してティッシュを取り出すことができるように、ティッシュボックスを保持した保持部がティッシュボックスの取出口に対応する位置にティッシュを通過させる通過口を有するようにしてもよい。なお、本ホルダーの使用に際して通過口が形成されていれば足りるので、ティッシュボックスを保持した保持部がティッシュボックスの取出口に対応する位置に通過口を形成する通過口形成部（通過口形成部が他の部分よりも破りやすく通過口形成部を破ることで通過口を形成することができるもの。例えば、通過口を規定する縁に沿って形成されたミシン目や凹条、通過口の部分を他の部分よりも薄肉にしたもの等を例示できる。）を有するようにしてもよい。
【００１０】
通過口本ホルダーの場合、筒形成部材に、ティッシュボックスが筒の内部に保持された状態においてティッシュボックスが形成する該略直方体の辺に沿って折れ曲がりやすい折り曲げ部分が形成されているものであってもよい。
略直方体形状を略なすティッシュボックスを筒の内部に確実かつ円滑に収容し保持するには、ティッシュボックスが筒の内部に保持された状態においてティッシュボックスが形成する該略直方体の辺に沿って筒がうまく折れ曲がるようにしてもよい。このためにはティッシュボックスが筒の内部に保持された状態においてティッシュボックスが形成する該略直方体の辺に沿った位置に、筒形成部材に折り曲げ部分（折れ曲がりやすい）を形成するようにしてもよい。なお、折り曲げ部分としては、他の部分よりも折れ曲がりやすいものであればよく、特に限定されるものではないが、例えば、折れ曲がるべき線に沿って形成した薄肉の凹条やミシン目を挙げることができる。
【００１１】
通過口本ホルダーの場合、筒の内面が、ティッシュボックスが形成する該略直方体の外面に沿うものであってもよい。
略直方体形状を略なすティッシュボックスを筒の内部に確実かつ円滑に収容し保持するには、ティッシュボックスが筒の内部に保持された状態において筒の内面がティッシュボックスが形成する該略直方体の外面に沿うようにしてもよい。
【００１２】
筒本ホルダーの場合、筒のうち取付部は柔軟な樹脂材料により形成された貫通孔形成部を有し、筒のうち保持部は硬質な骨材とそれを覆う柔軟な樹脂材料により形成された部分を含むものであってもよい。
取付部は、固定具を他主表面から一主表面に向けて打ち込むことで固定具を貫通させる貫通孔を形成しうるものでなければならず、そして保持部はティッシュボックスを十分な強度により保持するものであることが好ましい。即ち、取付部は固定具を打ち込むことで貫通孔を形成する程度の柔軟なものであると共に保持部は十分な強度を有するものであるという相反した筒とするため、筒のうち取付部は柔軟な樹脂材料により形成された貫通孔形成部（固定具を打ち込むことで貫通孔を形成する）を有し、筒のうち保持部は硬質な骨材とそれを覆う柔軟な樹脂材料により形成された部分（柔軟な樹脂材料に比して硬質な骨材により強度を付与できる。なお、ここにいう柔軟な樹脂材料と硬質な骨材とは、樹脂材料に比較して骨材が硬質（例えば、曲げ弾性率が高い）であることをいう。）を含むようにしてもよい。柔軟な樹脂材料としては、軟質のポリ塩化ビニルを例示でき、骨材としては厚紙、樹脂板、木材板、金属板、紐等を例示できる。
【００１３】
本ホルダーにおいては、固定具がステープラーの針であってもよい。
本ホルダーにおいては、固定具の先端が壁面に打ち込まれる際に壁面をあまり損傷させない固定具を用いることが好ましく、かかる点からは壁面に打ち込まれる固定具の先端近傍はできる限り細く真っ直ぐなものとされることが好ましい。そして、シート状の取付部（貫通孔形成部）に固定具を打ち込み固定具の先端側が壁面から壁内部に打ち込まれることで固定具によって壁面に対し取付部をうまく固定するには、打ち込まれた固定具が取付部の他主表面に十分に当接するものであることが好ましい（打ち込まれた固定具の基端側から取付部が脱落することを防止できるものが好ましい）。このように先端近傍はできる限り細く真っ直ぐなものであると共に打ち込まれた固定具が取付部の他主表面に十分に当接するものであり、かつ入手や取り扱いが容易な点からはステープラーの針としてもよい（例えば、汎用されているステープラーを用いて、安全かつ容易に該針を取付部を貫通させ壁面に打ち込むことができる。）。
【図面の簡単な説明】
【００１４】
【図１】本考案の一実施形態のティッシュボックスホルダー（本ホルダー）を示す平面図である。
【図２】図１の断面図（図２（ａ）は図１のＡ−Ａ断面図であり、図２（ｂ）は図１のＢ−Ｂ断面図である。）である。
【図３】本ホルダーが有する骨材の平面図である。
【図４】本ホルダーの使用方法の第１ステップを示す図である。
【図５】本ホルダーの使用方法の第２ステップを示す図である。
【図６】本ホルダーの使用状態を示す図である。
【考案を実施するための形態】
【００１５】
本考案の実施の形態を図面を参照して詳述するが、本考案はこれに限定されるものではない。
【００１６】
図１は、本考案の一実施形態のティッシュボックスホルダー（本ホルダー）１１を示す平面図であり、図２は図１の断面図（詳しくは、図２（ａ）は図１のＡ−Ａ断面図であり、図２（ｂ）は図１のＢ−Ｂ断面図である。なお、図１のＣ−Ｃ断面はＢ−Ｂ断面と同様である。）であり、そして図３は本ホルダー１１が有する骨材２１、２３、２５の平面図である。
本ホルダー１１は、大まかには、柔軟な樹脂シートにより形成された表面シート１１ａ（ここでは花の図柄１１ｆが描かれている）と、柔軟な樹脂シート（表面シート１１ａと同じ材質）により形成された裏面シート１１ｂと、表面シート１１ａと裏面シート１１ｂとの間に挟持された厚紙製の骨材２１、２３、２５と、粘着テープ３１と、を有してなり、表面シート１１ａ及び裏面シート１１ｂのいずれの主表面も同一の長方形を略なしている。表面シート１１ａ及び裏面シート１１ｂは互いに同じ位置で重なり合うように配設されており、該長方形の一対の長辺に沿った一対の長縁１２ａ、１２ｂと、該長方形の一対の短辺に沿った一対の短縁１４ａ、１４ｂと、を有している。
【００１７】
短縁１４ａ、１４ｂに略平行（長縁１２ａ、１２ｂに略垂直）に４本の折り線１５ａ、１５ｂ、１５ｃ、１５ｄが形成されている。折り線１５ａ、１５ｂ、１５ｃ、１５ｄのいずれも他の部分よりも樹脂シートの肉厚が薄く形成されており（図２においては、肉厚を示すことが困難であるが、折り線１５ａ、１５ｂ、１５ｃ、１５ｄの位置を示している。）、これによって折り線１５ａ、１５ｂ、１５ｃ、１５ｄに沿って折り曲げやすくなっている。短縁１４ａと折り線１５ａとの間の距離Ｄ１は、折り線１５ｂと折り線１５ｃとの間の距離Ｄ３と、折り線１５ｄと短縁１４ｂとの間の距離Ｄ５と、に略等しく（正確には、後述の図６に示すようにＤ１よりもＤ３がやや大きく、そしてＤ３よりもＤ５がやや大きい。）されると共に、折り線１５ａと折り線１５ｂとの間の距離Ｄ２は折り線１５ｃと折り線１５ｄとの間の距離Ｄ４に略等しく（正確には、後述の図６に示すようにＤ２よりもＤ４がやや大きい。）されている。折り線１５ａ、１５ｂ、１５ｃ、１５ｄによって本ホルダー１１は、第１カバー部５１（短縁１４ａと折り線１５ａとの間の部分）、第２カバー部５２（折り線１５ａと折り線１５ｂとの間の部分）、第３カバー部５３（折り線１５ｂと折り線１５ｃとの間の部分）、第４カバー部５４（折り線１５ｃと折り線１５ｄとの間の部分）そして第５カバー部５５（折り線１５ｄと短縁１４ｂとの間の部分）の５つの部分に分割されている。そして、折り線１５ａ、１５ｂ、１５ｃ、１５ｄによって表面シート１１ａは、第１部分１１ａ１（短縁１４ａと折り線１５ａとの間の部分）、第２部分１１ａ２（折り線１５ａと折り線１５ｂとの間の部分）、第３部分１１ａ３（折り線１５ｂと折り線１５ｃとの間の部分）、第４部分１１ａ４（折り線１５ｃと折り線１５ｄとの間の部分）そして第５部分１１ａ５（折り線１５ｄと短縁１４ｂとの間の部分）の５つの部分に分割されている。同様に、折り線１５ａ、１５ｂ、１５ｃ、１５ｄによって裏面シート１１ｂは第１部分１１ｂ１（短縁１４ａと折り線１５ａとの間の部分）、第２部分１１ｂ２（折り線１５ａと折り線１５ｂとの間の部分）、第３部分１１ｂ３（折り線１５ｂと折り線１５ｃとの間の部分）、第４部分１１ｂ４（折り線１５ｃと折り線１５ｄとの間の部分）そして第５部分１１ｂ５（折り線１５ｄと短縁１４ｂとの間の部分）の５つの部分に分割されている。
【００１８】
第１部分１１ａ１と第１部分１１ｂ１とは厚紙製の骨材２１を挟んだ状態で互いの縁部を巡るようにシール（融着）されることで第１カバー部５１が形成されている（骨材２１の主表面２１ａは第１部分１１ａ１及び第１部分１１ｂ１よりもやや小さく形成されている）。
第２部分１１ａ２と第２部分１１ｂ２とは互いに重合した状態（第２部分１１ａ２と第２部分１１ｂ２との間に骨材は存しない。）で融着されることで第２カバー部５２が形成されている。
第３部分１１ａ３と第３部分１１ｂ３とは厚紙製の骨材２３を挟んだ状態で互いの縁部を巡るようにシール（融着）されることで第３カバー部５３が形成されている（骨材２３の主表面２３ａは第３部分１１ａ３及び第３部分１１ｂ３よりもやや小さく形成されている）。
第４部分１１ａ４と第４部分１１ｂ４とは厚紙製の骨材２５を挟んだ状態で互いの縁部を巡るようにシール（融着）されることで第４カバー部５４が形成されている（骨材２５の主表面２５ａは第４部分１１ａ４及び第４部分１１ｂ４よりもやや小さく形成されている）。骨材２５は、その両主表面を連絡するように中心付近に開口２５ｈが形成されている。開口２５ｈに位置する第４部分１１ａ４と第４部分１１ｂ４とは融着され融着部分１６を形成しており、融着部分１６には、ティッシュペーパー（不図示）を取り出すスリットを形成するためのスリット形成部１６ｂが形成されている。具体的には、スリット形成部１６ｂは、それ以外の融着部分１６に比して薄肉の凹条とされており、該凹条に沿って容易に裂くことができ、それにより形成される裂け目がティッシュペーパー（不図示）を取り出すスリット（後述のスリット１６ｓ）を形成する。なお、ここではスリット形成部１６ｂを裂くことで該スリットを形成するようにしたが、予めスリットを形成しておいてよいことは言うまでもない。
第５部分１１ａ５と第５部分１１ｂ５とは互いに重合した状態（第５部分１１ａ５と第５部分１１ｂ５との間に骨材は存しない。）で融着されることで第５カバー部５５が形成されている。
なお、図２においては、図示及び理解を容易にするため表面シート１１ａと裏面シート１１ｂとが融着されているところも分離して図示している。
【００１９】
第５部分１１ｂ５には短縁１４ｂ近傍に短縁１４ｂに沿って粘着テープ３１が貼着されている。粘着テープ３１は粘着面３１ａを有しており、後述のように粘着面３１ａは第１部分１１ａ１に貼着可能なものである。
【００２０】
次いで、本ホルダー１１の使用方法を説明する。
図４は、本ホルダー１１の使用方法の第１ステップを示す図である。図４は、本ホルダー１１を取り付ける壁面１０１（平面に沿っている）に対して垂直な方向から見たところを示している。図４に示す第１ステップでは、本ホルダー１１を壁面１０１の取り付けるべき位置に配設した後（表面シート１１ａが壁面１０１に面するように配設する）、図示しないステープラーを用い第２部分１１ｂ２側からステープラーの針２０１が第２カバー部５２を貫通するよう打ち込む（打ち込んだ状態が図４に示す状態である。）。針２０１は、左右一対の針部２０１ａ（図６参照）と、一対の針部２０１ａを連結する連結部２０１ｂと、を有しており、一対の針部２０１ａが第２カバー部５２を貫通し壁面１０１に打ち込まれることで壁面１０１に対して針２０１が固定されている。そして、針２０１の連結部２０１ｂが本ホルダー１１の第２カバー部５２（第２部分１１ｂ２）に当接することで、壁面１０１に対して本ホルダー１１が固定されている。なお、ここでは第２カバー部５２（第２部分１１ｂ２）のうち折り線１５ａ近傍に折り線１５ａに沿って略等間隔に複数（具体的には５）の針２０１が打ち込まれると共に、第２カバー部５２（第２部分１１ｂ２）のうち折り線１５ｂ近傍に折り線１５ｂに沿って略等間隔に複数（具体的には５）の針２０１が打ち込まれている。また、ここでは図４に示す第１ステップに先立ち、スリット形成部１６ｂを裂くことでティッシュペーパー（不図示）を取り出すスリット１６ｓを形成している。
【００２１】
図５は、本ホルダー１１の使用方法の第２ステップを示す図である。図５は、図４と同様の方向から壁面１０１に取り付けられた本ホルダー１１を見たところを示している。図４に示す第１ステップにおいて壁面１０１に取り付けられた本ホルダー１１の第２部分１１ｂ２に底面３０３（図６参照）が面するようにティッシュボックス３０１（複数枚のティッシュペーパーを一枚ずつ取り出し使用できるように収容している）を配設した状態で左手４０１にてティッシュボックス３０１を支持する（この左手４０１にてティッシュボックス３０１を支持した状態が図５に示す状態である。）。そして、図示しない右手により第１カバー部５１を手前（壁面１０１から離れる方向）に折り線１５ａを中心に回動させて、ティッシュボックス３０１の側面３０５ａに第１部分１１ｂ１が面するようにする。その後、第３カバー部５３を手前（壁面１０１から離れる方向）に折り線１５ｂを中心に回動させて、ティッシュボックス３０１の側面３０５ｂに第３部分１１ｂ３が面するようにする。そして、第４カバー部５４を折り線１５ｃを中心に回動させて、ティッシュボックス３０１の表面３０２に第４部分１１ｂ４が面するようにする。最後に、第５カバー部５５を折り線１５ｄを中心に回動させて、第１カバー部５１の第１部分１１ａ１に第５部分１１ｂ５が面し、ティッシュボックス３０１が本ホルダー１１の内部に保持されるように粘着テープ３１の粘着面３１ａを第１部分１１ａ１に貼着させる。なお、ここで用いる左手４０１と右手（不図示）は逆にしてもよい。
【００２２】
ティッシュボックス３０１には、図５に示すように、それが内部に収容しているティッシュペーパーを取り出すための取り出し口を形成するための取り出し口形成部３０９が形成されている。具体的には、取り出し口形成部３０９は、細長い長方形に沿って形成されたミシン目３０９ｍにより形成されており、ミシン目３０９ｍに沿って容易にティッシュボックス３０１を裂くことができ、それにより形成されるティッシュボックス３０１の開口がティッシュペーパーを取り出す取り出し口を形成する。このため本ホルダー１１の内部に保持されたティッシュボックス３０１のミシン目３０９ｍを、第４部分１１ａ４側からスリット１６ｓを経由して指を入れる等して裂くことで取り出し口を形成し、該取り出し口及びスリット１６ｓを経由してティッシュボックス３０１からティッシュペーパー３３１を引き出す。この状態を図６（図５中の矢印Ｙ方向から見たものである）に示した。なお、ティッシュボックス３０１からティッシュペーパー３３１を取り出す取り出し口は、本ホルダー１１の第２部分１１ｂ２に底面３０３が面するようにティッシュボックス３０１を配設する第２ステップに先立ち形成してもよい。
図６においては、ティッシュボックス３０１は本ホルダー１１に取り囲まれることで本ホルダー１１の内部に保持され、壁面１０１に対して本ホルダー１１を介してティッシュボックス３０１が支持される。このためティッシュペーパー３３１を手で把持して引っ張り引き出すことでティッシュボックス３０１からティッシュペーパー３３１を自由に取り出して使用することができる。そして、ティッシュボックス３０１からティッシュペーパー３３１が無くなれば、粘着テープ３１の粘着面３１ａを第１部分１１ａ１から剥離し、第５カバー部５５、第４カバー部５４、第３カバー部５３を図５のような状態にしてティッシュペーパー３３１が無くなったティッシュボックス３０１を取り除き再び新しいティッシュボックス３０１を配設し、上述の手順で図６のようにすることで再びティッシュペーパー３３１を引き出し使用することができる。なお、粘着テープ３１の粘着面３１ａは第１部分１１ａ１に対し剥離と貼着を何度も繰り返すことができるものを用いている。
【００２３】
以上説明の通り、本ホルダー１１は、ティッシュボックス３０１を保持し壁面１０１に取り付けられることでティッシュボックス３０１を壁面１０１に対して支持するティッシュボックスホルダーであって、両主表面（表面シート１１ａにより形成される表面１１ａｓ、裏面シート１１ｂにより形成される裏面１１ｂｓ）を有するシート状の部材により形成され、該両主表面（表面１１ａｓ、裏面１１ｂｓ）のうちの一主表面（ここでは表面１１ａｓ）を壁面１０１に面するよう配設した状態において、固定具（ここではステープラーの針２０１）を他主表面（ここでは裏面１１ｂｓ）から一主表面（ここでは表面１１ａｓ）に向けて打ち込むことで固定具（ステープラーの針２０１）を貫通させる貫通孔（ここでは図４〜図６においてステープラーの針２０１が第２カバー部５２を貫通している孔）を形成しうる貫通孔形成部（ここでは第２カバー部５２）を有する取付部（ここでは第２カバー部５２）と、取付部（第２カバー部５２）に取り付けられ（ここでは取付部と保持部とが一体的に形成されることで取付部と保持部とが取り付けられている）、ティッシュボックス３０１外面に当接してティッシュボックス３０１を保持する保持部（ここでは第１カバー部５１、第３カバー部５３、第４カバー部５４、第５カバー部５５を含んでなる。）と、を備えてなる、ティッシュボックスホルダーである。
【００２４】
本ホルダー１１においては、ティッシュボックス３０１が内部に保持される筒（ここでは図６に示すようにティッシュボックス３０１を収容した四角筒）を形成する筒形成部材（ここでは骨材２１、２３、２５とそれを覆った表面シート１１ａ及び裏面シート１１ｂとを含んでなる第１カバー部５１、第２カバー部５２、第３カバー部５３、第４カバー部５４、第５カバー部５５）を備えてなり、筒形成部材（第１カバー部５１、第２カバー部５２、第３カバー部５３、第４カバー部５４、第５カバー部５５）が形成した筒（ティッシュボックス３０１を収容した四角筒）の一部（ここでは第２カバー部５２）が取付部を形成すると共に、筒（ティッシュボックス３０１を収容した四角筒）の残部（第１カバー部５１、第３カバー部５３、第４カバー部５４、第５カバー部５５）が保持部を形成するものである。
本ホルダー１１においては、筒形成部材（第１カバー部５１、第２カバー部５２、第３カバー部５３、第４カバー部５４、第５カバー部５５）が分断された一縁（短縁１４ａ）及び他縁（短縁１４ｂ）を有する帯状部材（ここでは第１カバー部５１、第２カバー部５２、第３カバー部５３、第４カバー部５４、第５カバー部５５が一体となったもの）を含んでなり、該帯状部材（第１カバー部５１、第２カバー部５２、第３カバー部５３、第４カバー部５４、第５カバー部５５が一体となったもの）の一縁（短縁１４ａ）側と他縁（短縁１４ｂ）側とを互いに取り付けて（ここでは粘着して）筒（ティッシュボックス３０１を収容する四角筒）を形成するための取付手段（ここでは粘着テープ３１）を備えるものである。
本ホルダー１１においては、帯状部材（第１カバー部５１、第２カバー部５２、第３カバー部５３、第４カバー部５４、第５カバー部５５が一体となったもの）のうち取付部（第２カバー部５２）を形成する部分と保持部（第１カバー部５１、第３カバー部５３、第４カバー部５４、第５カバー部５５）を形成する部分との境目が分断されていないものである（分断されているのは保持部（第１カバー部５１、第３カバー部５３、第４カバー部５４、第５カバー部５５）を形成している第１カバー部５１と第５カバー部５５との間である。）。
【００２５】
本ホルダー１１においては、ティッシュボックス３０１が、その内部に収容したティッシュ（ティッシュペーパー３３１）を外部に取り出す取出口（ここでは取り出し口形成部３０９が有するミシン目３０９ｍに沿ってティッシュボックス３０１を裂くことで形成されるティッシュボックス３０１の開口）を有する略直方体形状を略なすものであり、ティッシュボックス３０１を保持した保持部（第１カバー部５１、第３カバー部５３、第４カバー部５４、第５カバー部５５）が、ティッシュボックス３０１に形成された取出口（取り出し口形成部３０９により形成される該開口）に対応する位置にティッシュ（ティッシュペーパー３３１）を通過させる通過口又は他の部分よりも破りやすくそれを破ることで通過口（スリット１６ｓ）を形成する通過口形成部（スリット形成部１６ｂ）を有するものである。
本ホルダー１１においては、筒形成部材（第１カバー部５１、第２カバー部５２、第３カバー部５３、第４カバー部５４、第５カバー部５５）に、ティッシュボックス３０１が筒（図６のティッシュボックス３０１を収容した四角筒）の内部に保持された状態（図６）においてティッシュボックス３０１が形成する該略直方体の辺に沿って折れ曲がりやすい折り曲げ部分（ここでは折り線１５ａ、１５ｂ、１５ｃ、１５ｄ）が形成されているものである。
本ホルダー１１においては、筒（図６のティッシュボックス３０１を収容した四角筒）の内面が、ティッシュボックス３０１が形成する該略直方体の外面に沿うものである。
【００２６】
本ホルダー１１においては、筒（図６のティッシュボックス３０１を収容した四角筒）のうち取付部（第２カバー部５２）は柔軟な樹脂材料（表面シート１１ａ、裏面シート１１ｂ）により形成された貫通孔形成部（ここでは第２カバー部５２の全体）を有し、筒（図６のティッシュボックス３０１を収容した四角筒）のうち保持部（第１カバー部５１、第３カバー部５３、第４カバー部５４、第５カバー部５５）は硬質な骨材（骨材２１、２３、２５）とそれを覆う柔軟な樹脂材料（表面シート１１ａ、裏面シート１１ｂ）により形成された部分（第１カバー部５１、第３カバー部５３、第４カバー部５４）を含むものである。
本ホルダー１１においては、固定具がステープラーの針２０１である。
【符号の説明】
【００２７】
１１                本ホルダー
１１ａ              表面シート
１１ａ１            第１部分
１１ａ２            第２部分
１１ａ３            第３部分
１１ａ４            第４部分
１１ａ５            第５部分
１１ａｓ            表面
１１ｂ              裏面シート
１１ｂ１            第１部分
１１ｂ２            第２部分
１１ｂ３            第３部分
１１ｂ４            第４部分
１１ｂ５            第５部分
１１ｂｓ            裏面
１１ｆ              図柄
１２ａ、１２ｂ      長縁
１４ａ、１４ｂ      短縁
１５ａ、１５ｂ、１５ｃ、１５ｄ  折り線
１６                融着部分
１６ｂ              スリット形成部
１６ｓ              スリット
２１、２３、２５    骨材
２１ａ、２３ａ、２５ａ  主表面
２５ｈ              開口
３１                粘着テープ
３１ａ              粘着面
５１                第１カバー部
５２                第２カバー部
５３                第３カバー部
５４                第４カバー部
５５                第５カバー部
１０１                壁面
２０１                ステープラーの針
２０１ａ              針部
２０１ｂ              連結部
３０１                ティッシュボックス
３０２                表面
３０３                底面
３０５ａ、３０５ｂ    側面
３０９                取り出し口形成部
３０９ｍ              ミシン目
３３１                ティッシュペーパー
４０１                左手
【図１】
0003189020.tif 000003
【図２】
0003189020.tif 000004
【図３】
0003189020.tif 000005
【図４】
0003189020.tif 000006
【図５】
0003189020.tif 000007
【図６】
0003189020.tif 000008